【事件の表示】
　特願２０１８−１２４９８７「屋外空気調和装置」拒絶査定不服審判事件〔令和　２年　１月　９日出願公開、特開２０２０−　　３１７９〕について、次のとおり審決する。
【結　論】
　本件審判の請求は、成り立たない。
【理　由】
第１　手続の経緯
　本願は、平成３０年６月２９日の出願であって、その手続の概要は以下のとおりである。
令和　１年　８月　２日付け　拒絶理由の通知
令和　１年１０月１０日　　　手続補正書、意見書の提出
令和　２年　１月２８日付け　拒絶査定（２月１２日送達）
令和　２年　５月１２日　　　審判請求書、手続補正書の提出
令和　２年１２月１０日付け　当審による拒絶理由の通知
令和　３年　２月１５日　　　手続補正書、意見書の提出
第２　本願発明
　本願の請求項１に係る発明（以下、「本願発明」という。）は、令和３年２月１５日に提出された手続補正書により補正された特許請求の範囲の請求項１に記載された次のとおりのものである。
「【請求項１】
　屋外で使用される空気調和装置（１００）であって、
　圧縮機（１）と、
　熱源側熱交換器（６）と、
　前記熱源側熱交換器に空気を通すための第１ファン（７）と、
　利用側熱交換器（３）と、
　前記利用側熱交換器に空気を通すための第２ファン（４）と、
　前記圧縮機、前記熱源側熱交換器、前記第１ファン、前記利用側熱交換器、および、前記第２ファンを収容するケーシング（１０）と、を備え、
　前記第２ファンは、ターボファンであり、かつ、前記利用側熱交換器より上に配置されており、
　前記ケーシングには、
　前記熱源側熱交換器を通過した空気を、前記ケーシングの外部上方に向かって吹出す第１吹出し口（２９）と、
　前記第１吹出し口よりも下に配置された吹出し口であって、前記利用側熱交換器を通過した空気を、前記ケーシングの外部横方向に向かって吹出す複数の第２吹出し口（３１ａ〜３１ｄ）と、
が形成されており、
　前記利用側熱交換器を通過した空気は、前記第２ファンの横方向に向かって吹出され、
　前記第２吹出し口を出た風の風速は、１２ｍ／ｓ以上、１８ｍ／ｓ以下であり、
　前記利用側熱交換器は複数面を有し、縦方向に配置される、
屋外空気調和装置。」
第３　令和２年１２月１０日付けで通知した拒絶の理由
　当審において、令和２年１２月１０日付けで通知した拒絶の理由における理由１は、以下の内容を含む。
＜理由１（進歩性）＞
　本願の請求項１に係る発明は、本願の出願前に日本国内又は外国において、頒布された又は電気通信回線を通じて公衆に利用可能となった以下の引用文献１ないし６に記載された発明に基いてその出願前にその発明の属する技術の分野における通常の知識を有する者（以下、「当業者」という。）が容易に発明をすることができたものであるから、特許法第２９条第２項の規定により特許を受けることができない。
　引用文献１．実願昭５０−１２０９１４号（実開昭５２−３４１５０号）のマイクロフィルム
　引用文献２．特開平９−１４６９１号公報
　引用文献３．実願昭５０−６４９６１号（実開昭５１−１４３３３８号）のマイクロフィルム
　引用文献４．特開２０００−７４４１４号公報
　引用文献５．特開２００４−２２６０１４号公報
　引用文献６．特開２００２−１１５８６６号公報
第４　理由１に関する当審の判断
１．引用文献１
（１）　当審の拒絶の理由において通知した引用文献１には、次の事項が記載されている。ただし、「・・・」は省略を意味する。また、下線は参考のため当審で付与したものである。以下、同様。
「３．考案の詳細な説明
　
本考案は縦形床置式スポットクーラに関するものである。
　従来の床置式スポットクーラは、・・・このため狭小な
作業室内に設置する
・・・
　以下、本考案の実施例を第１図〜第３図に示す図面に基づき詳記する。
　第１図において、
（１）は縦長の円筒状本体ケーシングで、該本体ケーシング（１）は、縦に上部室（１ａ）、中間室（１ｂ）、下部室（１ｃ）に３分割されており、それぞれの室は前記中間室（１ｂ）を構成する上板（１３）、下板（１４）にて仕切られている。
　
前記上部室（１ａ）には、
凝縮機（２）が立設されている。
天板（１２）には熱気吹出口（１１）が設けられており、該熱気吹出口（１１）の内方にはプロペラファン（５）が設けられている。
　
前記下部室（１ｃ）には、
円筒状の蒸発器３が立設されるとともに内方に吹出部を上方に向けてシロッコファン（６）が配設されており、該ファン（６）の下方に圧縮機（７）が底板に据付けられている。
　
前記中間室（１ｂ）は冷気吹出室となるものであって、
吹出パネル（８）
前記下板（１４）には前記シロッコファン（６）の吹出部が連結している。
　また前記吹出パネル（８）は本考案の構成要件のうち主要部となるものであって、第２図に示すごとく円筒状に形成されているとともに、
該吹出パネル（８）の一部を切り欠いて吹出口（１６）を設けている。
　しかして、該吹出パネル（８）は、第３図に拡大して示すごとく、
本体ケーシング（１）の側板と該本体ケーシング（１）の内側に設けたガイド部材（１８）および（１９）とによりそれぞれ本体ケーシング（１）の周囲に形成される溝（２０）および（２１）に前記吹出パネル（８）の上縁が嵌装されるとともに前記吹出パネル（８）は前記溝（２０）、（２１）中を回動自在に摺動するごとく装着されている。
　なお
（４）…は移動用キャスターである。
・・・
　しかして
前記下部室（１ｃ）の空気吸込口（１０）から吸込まれた空気は、蒸発器（２）を通過して冷気となった後、シロッコファン（６）により下部室（１ｃ）から中間室（１ｂ）に導かれ、その後吹出パネル（８）の吹出口（１６）から作業者に向かって吹出される。
・・・
　また
前記上部室（１ａ）に設けられた空気吸込口（９）から吸い込まれた空気は、凝縮機（２）を通過して熱気となった後、前記天板（１２）の熱気吹出口（１１）から上方へ向かって吹き出される
「第１図
」
「第２図
」
「第３図
」
（２）　上記（１）の記載された事項からわかること
　「その後吹出パネル（８）の吹出口（１６）から作業者に向かって吹出される。」、第１図及び第２図から、「吹出口（１６）から
横方向に向かって
　「円筒状の蒸発器３が立設される」及び第１図から、「蒸発器３が
縦方向に配置
（３）　引用文献１に記載された発明
　上記（１）及び（２）の事項を総合すると、引用文献１には、以下の発明（以下、「引用発明」という。）が記載されていると認められる。
「移動用キャスター（４）を備え、作業室内に設置される縦形床置式スポットクーラであって、
　圧縮機（７）と、
　凝縮機（２）と、
　プロペラファン（５）と、
　蒸発器（３）と、
　シロッコファン（６）と、 
　前記圧縮機（７）、前記凝縮機（２）、前記プロペラファン（５）、前記蒸発器（３）、および、前記シロッコファン（６）を収容する本体ケーシング（１）と、を備え、
　前記シロッコファン（６）は、前記蒸発器（３）の内方に配設されており、
　前記本体ケーシング（１）は、縦に上部室（１ａ）、中間室（１ｂ）、下部室（１ｃ）に３分割されており、それぞれの室は前記中間室（１ｂ）を構成する上板（１３）、下板（１４）にて仕切られ、
　前記上部室（１ａ）の天板（１２）には、熱気吹出口（１１）が設けられており、該熱気吹出口（１１）の内方にはプロペラファン（５）が設けられており、
　前記上部室（１ａ）に設けられた空気吸込口（９）から吸い込まれた空気は、前記凝縮機（２）を通過して熱気となった後、前記天板（１２）の前記熱気吹出口（１１）から上方へ向かって吹き出され、
　前記中間室（１ｂ）は、側板とガイド部材（１８及び１９）とにより前記本体ケーシング（１）の周囲に形成される溝（２０及び２１）に吹出パネル（８）が装着され、
　前記吹出パネル（８）には、吹出口（１６）が設けられており、
　前記下部室（１ｃ）の空気吸込口（１０）から吸込まれた空気は、前記蒸発器（３）を通過して冷気となった後、前記シロッコファン（６）により前記下部室（１ｃ）から中間室（１ｂ）に導かれ、その後前記吹出パネル（８）の前記吹出口（１６）から横方向に向かって吹き出され、
　前記蒸発器（３）は、円筒状であり、縦方向に配置される、
　縦形床置式スポットクーラ。」
２．引用文献２
（１）　当審の拒絶の理由において通知した引用文献２には、次の事項が記載されている。
「【０００９】また、
第２発明に係る移動式空気調和装置は、第１発明のものにおいて、本体下部にキャスタを設けた
・・・
【００２１】次に、この実施例の動作を説明する。
本体１はキャスタ８により所望の場所へ移動させて使用される。
【００２２】このようにして、
本体１は台車等に載置することなく移動は容易であり、屋外でも使用が可能である。
（２）　引用文献２に記載された技術
　上記（１）の事項を総合すると、引用文献２には、以下の技術（以下、「引用文献２技術」という。）が記載されていると認められる。
「本体下部にキャスタを設けた移動式空気調和装置について、屋外でも使用可能なこと。」
３．引用文献３
（１）　当審の拒絶の理由において通知した引用文献３には、次の事項が記載されている。
「３．　考案の詳細な説明
　本考案は空気調和機に係り、特にシロッコファンのごとき遠心型送風機を用いて本空気調和機を中心として放射状の任意方向へ選択的に空気を吹き出し得るごとくしたものに関する。
　
従来、例えば室内に設置される空気調和機は、第４図に示すごとく、
　しかしながら斯かる構成の空気調和機においては、
前記送風機（１０）の吹出方向は上向き（垂直方向）であるとともに前記プレナム室（８）の空気吹出口（１４ａ）は前向き（水平方向）であるので、前記送風機（１０）から吹き出された空気は（垂直方向に上昇して、プレナム室（８）の天板（１６）に衝突し、その後風向きを直角に曲げ、前記空気吹出口（１４ａ）からそのまま水平方向に吹き出される。
　
したがって前記プレナム室（８）中の空気流通抵抗が大きくなるので送風量が減少し、これが送風機（１０）の送風効率を低下する一因となるのである。
　
しかも前記の如く送風機（１０）から吹き出された空気はプレナム室（８）の天板（１６）に衝突することにより風速が減速されるので、空気吹出口（１４ａ）からの到達距離が短縮され、極端な場合にはショートサーキットを起こすことになる。
　さらに前記プレナム室（８）を設けることにより、それだけ本体ケーシング（Ａ）が大きくなるとともに前記送風機（１０）の送風効率を低下させないためにはプレナム室の形状を大きくせねばならないという構造上の不利な欠点があり、
さらに室内への吹出方向は空気吹出口（１４ａ）からの一方向のみである。
　
本考案は上記の問題点に鑑みてなされたものであって、
遠心型送風機のロータを回転軸が垂直になるごとく設けるとともに、該ロータの吹出部に面するケーシング側板に開閉自在の空気吹出口を設けることにより、前記遠心型送風機の空気流れ方向が直角に曲がる空気流通特性を利用して、ファン室内における空気流通抵抗を少なくせしめるとともに、本空気調和機を中心として放射状の任意方向へ選択的に空気を吹き出し得るごとくしたものに関する。
　以下本考案の実施例を図面に基づき詳記する。
　第１図および第２図に示す空気調和機は室内中央に設置されるものであって、
本体ケーシング（Ａ）は断面が略正方形に形成され、上部室（Ｂ）と中間部室（Ｃ）と下部室（Ｄ）との３つの室から縦方向長方形に形成される。前記上部室（Ｂ）は空孔（２２）を設けた仕切板（７）により中間部室（ｃ）と仕切られており、
　
前記上部室（Ｂ）の横断面中央部には遠心型送風機としてのシロッコファンのロータ（９）が、回転軸（１１）を垂直に向けかつ該ロータ（９）の空気吸入部（５）を下方の前記仕切板（７）の空孔（２２）に対面させて前記上部室（Ｂ）内に装設される。前記ロータ（９）の周囲空気吹出部（６）に直面する本体ケーシング（Ａ）の側板、すなわち前板（１３ａ）、後板（１３ｂ）、左右側板（１３ｃ）および（１３ｄ）にはそれぞれ空気吹出口（１４ａ）、（１４ｂ）、（１４ｃ）、（１４ｄ）が設けられており、これら空気吹出口（１４ａ）、（１４ｂ）、（１４ｃ）、（１４ｄ）にはそれぞれ遮蔽板（１５ａ）、（１５ｂ）、（１５ｃ）、（１５ｄ）が着脱自在に設けられている。
・・・
　次に
中間部室（Ｃ）には蒸発器となる熱交換器（３）が水平に装設されており、
　次に下部室（Ｄ）には圧縮機（１）、凝縮機となる熱交換器（２）がそれぞれ配設されていている。
・・・
　前記圧縮機（１）を駆動させるとともに前記モータ（１０）を駆動させて前記ロータ（９）を回転させると、
前記ロータ（９）の回転により空気吸込口（４ａ）、（４ｂ）から吸込まれた室内空気は、蒸発器となる熱交換器（３）で冷却された後ほぼ垂直方向に上昇し前記ロータ（９）の吸込部（５）に吸込まれる。該冷却空気は前記ロータ（９）内で遠心送風機の空気流通の特性上垂直方向から水平方向へ直角にその向きを変えて前記周囲吹出部（６）から周囲に吹き出される
該空気はファンハウジングを兼用する前記ガイド板（１２）、仕切板（７）に沿って流通した後、空気吹出口（１４ａ）からそのまま同一方向に室内に向かって吹き出されるので、前記従来例で、ファンハウジング内で方向転換し、かつプレナム室内で方向転換するものに比し、送風量が低下することなく、しかも遠くまで到達する風速を保持しながら吹き出し得る
「第１図
」
「第２図
」
「第４図
」
（２）　引用文献３に記載された技術
　上記（１）の事項を総合すると、引用文献３には、以下の技術（以下、「引用文献３技術」という。）が記載されていると認められる。
「断面が略正方形に形成された本体ケーシング（Ａ）は、上部室（Ｂ）と中間部室（Ｃ）と下部室（Ｄ）との３つの室から縦方向長方形に形成され、
　前記上部室（Ｂ）は空孔（２２）を設けた仕切板（７）により前記中間部室（Ｃ）と仕切られており、
　前記上部室（Ｂ）の横断面中央部に遠心型送風機としてのシロッコファンのロータ（９）が、回転軸（１１）を垂直方向に向けかつ前記ロータ（９）の空気吸入部（５）を下方の前記仕切板（７）の前記空孔（２２）に対面させて装設され、
　前記ロータの周囲空気吹出部（６）に直面する本体ケーシング（Ａ）の側板、すなわち前板（１３ａ）、後板（１３ｂ）、左右側板（１３ｃ、１３ｄ）にはそれぞれ空気吹出口（１４ａ〜１４ｄ）が設けられており、これら空気吹出口（１４ａ〜１４ｄ）にはそれぞれ遮蔽板（１５ａ〜１５ｄ）が着脱自在に設けられ、
　前記中間部室（Ｃ）には蒸発器となる熱交換器（３）が装設され、
　前記ロータ（９）の回転により空気吸込口（４ａ、４ｂ）から吸込まれた空気は、前記熱交換器（３）で冷却された後ほぼ垂直方向に上昇し前記ロータ（９）の空気吸入部（５）に吸込まれ、前記ロータ（９）内で水平方向へ直角にその向きを変えて前記空気吹出口（１４ａ〜１４ｄ）から吹き出される空気調和機。」
４．引用文献４
　当審の拒絶の理由において通知した引用文献４には、次の事項が記載されている。
「【００２０】
前記室内ファン４として用いられる両吸込型遠心ファンは、
ターボファン
・・・
【００５０】また、駆動源となる両軸モータ２１は、可逆回転可能に構成されるとともに、
前記室内ファンとして用いられる両吸込型ターボファン４
「【図９】
」
５．引用文献５
　当審の拒絶の理由において通知した引用文献５には、次の事項が記載されている。
「【００６２】
従来は室内側のファンとして、シロッコファンを採用することが多かった。しかし
本実施例では室内ファン１９にも図１４に示すような後傾翼のターボファンを採用している。
６．引用文献６
　当審の拒絶の理由において通知した引用文献６には、次の事項が記載されている。
「【００２０】前記流動案内部１３１は、室内熱交換器１１を介して流入した室内気を案内するベルマウス１３１ａが形成された吸入面１３１ｂと、
前記室内気を吸入するターボファン１４
７．対比・判断
（１）　引用発明と本願発明とを対比する。
　ア　引用発明の「縦形床置式スポットクーラ」、「圧縮機（７）」、「凝縮機（２）」、「プロペラファン（５）」、「蒸発器（３）」、「シロッコファン（６）」は、本願発明の「空気調和装置（１００）」、「圧縮機（１）」、「熱源側熱交換器（６）」、「第１ファン（７）」、「利用側熱交換器（３）」、「第２ファン（４）」にそれぞれ相当する。
　イ　引用発明は「前記上部室（１ａ）の天板（１２）には、熱気吹出口（１１）が設けられており、該熱気吹出口（１１）の内方にはプロペラファン（５）が設けられており、前記上部室（１ａ）に設けられた空気吸込口（９）から吸い込まれた空気は、前記凝縮機（２）を通過して熱気となった後、前記天板（１２）の前記熱気吹出口（１１）から上方へ向かって吹き出され」るから、引用発明の「プロペラファン（５）」は、本願発明の「前記熱源側熱交換器に空気を通すための第１ファン（７）」に相当する。
　ウ　引用発明は「前記下部室（１ｃ）の空気吸込口（１０）から吸込まれた空気は、前記蒸発器（３）を通過して冷気となった後、前記シロッコファン（６）により前記下部室（１ｃ）から中間室（１ｂ）に導かれ、その後前記吹出パネル（８）の前記吹出口（１６）から横方向に向かって吹き出され」るから、引用発明の「シロッコファン（６）」は、本願発明の「前記利用側熱交換器に空気を通すための第２ファン（４）」に相当する。
　エ　引用発明の「前記圧縮機（７）、前記凝縮機（２）、前記プロペラファン（５）、前記蒸発器（３）、および、前記シロッコファン（６）を収容する本体ケーシング（１）」は、本願発明の「前記圧縮機、前記熱源側熱交換器、前記第１ファン、前記利用側熱交換器、および、前記第２ファンを収容するケーシング（１０）」に相当する。
　オ　引用発明は「前記上部室（１ａ）に設けられた空気吸込口（９）から吸い込まれた空気は、前記凝縮機（２）を通過して熱気となった後、前記天板（１２）の前記熱気吹出口（１１）から上方へ向かって吹き出され」るから、引用発明の「熱気吹出口（１１）」は、本願発明の「前記熱源側熱交換器を通過した空気を、前記ケーシングの外部上方に向かって吹出す第１吹出し口（２９）」に相当する。
　引用発明は「前記本体ケーシング（１）は、縦に上部室（１ａ）、中間室（１ｂ）、下部室（１ｃ）に３分割されて」いるから、上部室（１ａ）等は、本体ケーシング（１）の一部分である。そして、引用発明の「熱気吹出口（１１）」は、「前記上部室（１ａ）の天板（１２）に」「設けられて」いるから、引用発明の「熱気吹出口（１１）」は、本願発明の「第１吹出し口（２９）」と、「前記ケーシングに」「形成されて」いる点において一致する。
　カ　引用発明において、「吹出口（１６）が設けられ」た「吹出パネル（８）」は、「中間室（１ｂ）」に「装着され」ているから、引用発明の「吹出口（１６）」は、「上部室（１ａ）の天板（１２）に」「設けられて」いる「熱気吹出口（１１）」よりも下に配置されていることは明らかであり、本願発明の「前記第１吹出し口よりも下に配置された吹出し口であって、前記利用側熱交換器を通過した空気を、前記ケーシングの外部横方向に向かって吹出す複数の第２吹出し口（３１ａ〜３１ｄ）」と、「前記第１吹出し口よりも下に配置された吹出し口であ」るという点において一致する。
　また、引用発明は「前記下部室（１ｃ）の空気吸込口（１０）から吸込まれた空気は、前記蒸発器（３）を通過して冷気となった後、」「前記吹出パネル（８）の前記吹出口（１６）から横方向に向かって吹き出され」るから、引用発明の「吹出口（１６）」は、本願発明の上記複数の第２吹出し口（３１ａ〜３１ｄ）と、「前記利用側熱交換器を通過した空気を、前記ケーシングの外部横方向に向かって吹出す」という点において一致する。
　さらに、引用発明の中間室（１ｂ）は、本体ケーシング（１）の一部分であり、「吹出口（１６）が設けられ」た「吹出パネル（８）」は、「中間室（１ｂ）」に「装着され」ているから、引用発明の「吹出口（１６）」は、本願発明の上記複数の第２吹出し口（３１ａ〜３１ｄ）と、「前記ケーシングに」「形成されて」いるという点において一致する。
　キ　引用発明の「蒸発器（３）」と、本願発明の「利用側熱交換器」とは、「縦方向に配置される」点において一致する。
　したがって、両者の一致点及び相違点は以下のとおりである。
［一致点］
「空気調和装置であって、
　圧縮機と、
　熱源側熱交換器と、
　前記熱源側熱交換器に空気を通すための第１ファンと、
　利用側熱交換器と、
　前記利用側熱交換器に空気を通すための第２ファンと、
　前記圧縮機、前記熱源側熱交換器、前記第１ファン、前記利用側熱交換器、および、前記第２ファンを収容するケーシングと、を備え、
　前記ケーシングには、
　前記熱源側熱交換器を通過した空気を、前記ケーシングの外部上方に向かって吹出す第１吹出し口と、
　前記第１吹出し口よりも下に配置された吹出し口であって、前記利用側熱交換器を通過した空気を、前記ケーシングの外部横方向に向かって吹出す第２吹出し口と、
が形成されており、
　前記利用側熱交換器は縦方向に配置される、
空気調和装置。」
［相違点１］
　使用される場所に関して、本願発明は、「屋外で使用される」もので、「屋外」空気調和装置であるのに対し、引用発明は、「移動用キャスター（４）を備え、作業室内に設置される」ものである点。
［相違点２］
　本願発明は、「前記第２ファンは、ターボファンであり、かつ、前記利用側熱交換器より上に配置されており、」「前記利用側熱交換器を通過した空気は、前記第２ファンの横方向に向かって吹出され」るのに対し、引用発明は、「前記シロッコファン（６）は前記蒸発器（３）の内方に配設されて」いる点。
［相違点３］
　利用側熱交換器を通過した空気をケーシングの外部横方向に向かって吹出す吹出し口について、本願発明は、「複数」であるのに対し、引用発明は、複数ではない点。
［相違点４］
　本願発明は、「利用側熱交換器は複数面を有」するのに対し、引用発明は、「蒸発器（３）は、円筒状であ」る点。
［相違点５］
　第２吹出し口を出た風の風速に関して、本願発明は、「１２ｍ／ｓ以上、１８ｍ／ｓ以下であ」るのに対し、引用発明は、風速が不明な点。
（２）　相違点に関する判断
［相違点１について］
　「移動用キャスター（４）を備え」る引用発明に、引用文献２技術（上記２．（２）を参照。）を適用して屋外で使用するように構成し、相違点１に係る本願発明の構成とすることに格別の困難性は認められない。
［相違点２及び３について］
　引用文献３には、「前記送風機（１０）の吹出方向は上向き（垂直方向）であるとともに前記プレナム室（８）の空気吹出口（１４ａ）は前向き（水平方向）であるので、前記送風機（１０）から吹き出された空気は（垂直方向に上昇して、プレナム室（８）の天板（１６）に衝突し、その後風向きを直角に曲げ、前記空気吹出口（１４ａ）からそのまま水平方向に吹き出される。したがって前記プレナム室（８）中の空気流通抵抗が大きくなるので送風量が減少し、これが送風機（１０）の送風効率を低下する一因となるのである。しかも前記の如く送風機（１０）から吹き出された空気はプレナム室（８）の天板（１６）に衝突することにより風速が減速されるので、空気吹出口（１４ａ）からの到達距離が短縮され、極端な場合にはショートサーキットを起こすことになる。」、「さらに室内への吹出方向は空気吹出口（１４ａ）からの一方向のみである。」という課題が記載されている。
　そして、当該課題を解決する技術として、引用文献３技術（上記３．（２）を参照。）が記載されていると認められる。
　さらに、引用文献３には、「従来例で、ファンハウジング内で方向転換し、かつプレナム室内で方向転換するものに比し、送風量が低下することなく、しかも遠くまで到達する風速を保持しながら吹き出し得る」、「本空気調和機を中心として放射状の任意方向へ選択的に空気を吹き出し得るごとくした」という、引用文献３技術の作用効果が記載されている。
　引用発明は、“シロッコファン（６）の吹出方向は上向き（垂直方向）であるとともに中間室（１ｂ）の吹出口（１６）は横方向（水平方向）であるので、前記シロッコファン（６）から吹き出された空気は垂直方向に上昇して、中間室（１ｂ）の上板（１３）に衝突し、その後風向きを直角に曲げ、前記吹出口（１６）からそのまま水平方向に吹き出される。”及び“吹出方向は吹出口（１６）からの一方向のみである。”という引用文献３に記載された課題と同等の問題点を抱えるものである。
　そうすると、引用発明の中間室（１ｂ）及び下部室（１ｃ）におけるシロッコファン（６）、蒸発器（３）及び吹出口（１６）の配置の代わりに引用文献３技術の上部室（Ｂ）及び中間部室（Ｃ）における遠心型送風機、蒸発器及び吹出し口の配置（遠心型送風機が蒸発器より上に配置されており、蒸発器を通過した空気は、シロッコファンの横方向に向かって、複数の空気吹出口から吹出される構造）を適用することの動機付けは十分にあるといえる。
　また、熱源側熱交換器及び利用側熱交換器を備える一体型空気調和装置において、利用側送風機の形式としてターボファンを用いることは、引用文献４、引用文献５、引用文献６に見られるように、本願の出願日前より周知な技術（以下、単に「周知技術」という。）である。したがって、引用発明に引用文献３技術を適用したものおいて、その送風機の形式であるシロッコファンに換えて周知技術であるターボファンを用いるようにすることは、スポットクーラに要求される性能（風量・風速の大小）等に応じて、当業者が適宜選択し得る程度のことである。
　したがって、引用発明に引用文献３技術及び周知技術を適用して、相違点２及び３に係る本願発明の構成とすることは、当業者にとって容易になし得ることである。
［相違点４について］
　引用発明において、蒸発器（３）の形状は当業者が適宜決定し得る程度のものであるので、蒸発器（３）の形状を角筒状（複数の面を有する）とすることに格別の困難性は認められない。
［相違点５について］
　引用発明において、吹出パネル（８）の吹出口（１６）から吹き出される空気の風速をどの程度にするかは、引用発明の使用環境や目的等、必要に応じて当業者が適宜決定し得ることであるので、風速を１２ｍ／ｓ以上、１８ｍ／ｓ以下とすることに格別の困難性は認められない。
（３）　本願発明の作用効果
　本願発明の作用効果は、引用発明、引用文献２技術、引用文献３技術及び周知技術から、当業者が予測し得る範囲を超えるものではない。
　特に、第２ファンがターボファンである点について、本願の明細書には、【0042】に「第２ファン４は、ターボファンである。プロペラファン、シロッコファンであってもよい。」と記載されている程度で、ターボファンを用いることの作用効果（例えば、第２吹出し口を出た風の風速との関係等）については何ら記載されていない。そうすると、ターボファンを用いることの作用効果は、ファンの種類と性能に関する一般的な知識に基づいて当業者が予測し得る程度のものにすぎない。
　また、「前記第２吹出し口を出た風の風速は、１２ｍ／ｓ以上、１８ｍ／ｓ以下であ」ることに、いわゆる臨界的意義は認められない。
（４）　請求人の主張について
　ア　請求人は、令和３年２月１５日に提出した意見書（以下、「意見書」という。）において、以下のように説明して、本願発明は当業者が容易に想到できるものではないと主張している。（ただし、下線は当審で付した。以下同様。）
「引用文献３は、遠心型送風機（シロッコファン）の回転軸を鉛直方向に配置し、ファンの回転軸から周方向かつ水平方向に空気を吹き出す構成を有しています。そしてこのような構成によって、作用効果として、引用文献３のｐ７、１５行目〜ｐ８、３行目には、『・・・該空気はファンハウジングを兼用する前記ガイド板（１２）、仕切板（７）に沿って流通した後、空気吹出口（１４ａ）からそのまま同一方向に室内に向かって吹き出されるので、前記従来例で、ファンハウジング内で方向転換し、かつプレナム室内で方向転換するものに比し、送風量が低下することなく、しかも遠くまで到達する風速を保持しながら吹き出し得るのである。』と記載されています。
　これに対して、引用文献４〜６の開示は、ターボファンを用いるとの開示はあるものの、ターボファンの回転軸から周方向に向かって吹き出された空気はハウジング内で方向転換したのちに外部へ吹き出される構成を有しています。
したがって、引用文献３でシロッコファンを使っている当業者が、引用文献４〜６のターボファンに代替したとしても、周方向に遠くまで到達する風速を保持しながら吹き出し得るとは考えられません。すなわち、引用文献３に引用文献４〜６を組み合わせる動機付けは、存在しないと思料いたします。
　しかしながら、拒絶理由の論理構成は、「引用文献３に引用文献４〜６を組み合わせる」というものではなく、上記［相違点２及び３について］で述べたように、引用発明に引用文献３技術を適用したものおいて、その送風機の形式であるシロッコファンに換えて、引用文献４〜６に例示された送風機の形式として周知技術であるターボファンを用いるようにするというものである。
　よって、請求人の主張は採用できない。
　イ　請求人は、意見書において、以下のように主張している。
「本願発明１は、『前記第２吹出し口を出た風の風速は、１２ｍ／ｓ以上、１８ｍ／ｓ以下』（相違点５）との構成を有しています。このように
強力な風を複数の横方向に吹き出す構成は、引用文献１、３のシロッコファンを用いた場合は、効率を無視した試験としては可能であったとしても、現実的には困難です。
　しかしながら、引用発明において、吹出パネル（８）の吹出口（１６）から吹き出される空気の風速は、シロッコファン（６）、中間室（Ｃ）、吹出口（１６）のそれぞれのサイズや形状、シロッコファン（６）を回転させるモータの性能等によって大きくすることが可能であり、『１２ｍ／ｓ以上』とすることが現実的には困難であるとする合理的な根拠を見いだせない。
　仮に、シロッコファン（６）を用いる引用発明では、風速を１２ｍ／ｓ以上とすることが現実的には困難であるとしても、上記［相違点２及び３について］で述べたように、引用発明において、シロッコファンをターボファンに換えることを阻害する特段の理由はなく、ターボファンを用いるようにすることは、スポットクーラに要求される性能（風量・風速の大小）等に応じて、当業者が適宜選択し得る程度のことであるから、「『前記第２吹出し口を出た風の風速は、１２ｍ／ｓ以上、１８ｍ／ｓ以下』の構成は、各引用文献から、容易に想到できる構成ではありません。」という請求人の主張は採用できない。
　ウ　請求人は、意見書において、以下のように説明して、本願発明は当業者が容易に想到できるものではないと主張している。
「本願発明１の、ターボファンにより、複数の第２吹出し口より外部複数の横方向に向かって、１２ｍ／ｓ以上の風速で吹き出すという特有の構成は、本願発明１が屋外利用であって、広範囲に涼風または暖風を提供するという課題を解決するための構成です。引用文献１、３、４〜６には、このような課題についても記載も示唆もされていません。」（４．補正後の本願発明１と引用発明（引用文献１に記載の発明）との対比）
　しかしながら、引用発明も作業室内で使用するものであり、工場等の広い作業スペースで利用することが想定されていると考えられるので、広範囲に冷風を提供するという課題を内在しているといえる。
　したがって、請求人の主張は採用できない。
８．小括
　上記１ないし７の検討によれば、本願発明は、引用発明、引用文献２技術、引用文献３技術及び周知技術に基いて当業者が容易に発明をすることができたものであるから、特許法第２９条第２項の規定により、特許を受けることができない。
第５　むすび
　以上のとおり、本願発明は、引用発明、引用文献２技術、引用文献３技術及び周知技術に基いて当業者が容易に発明をすることができたものであるから、特許法第２９条第２項の規定により特許を受けることができない。
　したがって、本願は拒絶すべきものである。
　よって、結論のとおり審決する。